(57)【要約】【課題】適切な表示形態で各種情報を表示することを目的とする。【解決手段】本発明に係るカラオケ装置は、カラオケ情報は、伴奏情報と歌詞情報を含んで構成され、演奏処理と、表示処理と、レイアウト変更処理と、を実行可能とし、演奏処理は、指定されたカラオケ情報の伴奏情報を再生し、表示処理は、指定されたカラオケ情報に対応する背景映像に、当該カラオケ情報に含まれる歌詞情報に基づく歌詞と、補助情報に基づく補助映像を重畳して表示部に表示出力し、補助情報は、歌唱評価に関する情報、楽器演奏に関する情報の少なくとも何れか１つを含み、レイアウト変更処理は、表示処理において、少なくとも補助映像の表示位置を変更する。【選択図】図５
2020181116.tif 000002
【特許請求の範囲】
【請求項１】
カラオケ情報に基づいて再生を行うカラオケ装置であって、
カラオケ情報は、伴奏情報と歌詞情報を含んで構成され、
演奏処理と、表示処理と、レイアウト変更処理と、を実行可能とし、
演奏処理は、指定されたカラオケ情報の伴奏情報を再生し、
表示処理は、指定されたカラオケ情報に対応する背景映像に、当該カラオケ情報に含まれる歌詞情報に基づく歌詞と、補助情報に基づく補助映像を重畳して表示部に表示出力し、
補助情報は、歌唱評価に関する情報、楽器演奏に関する情報の少なくとも何れか１つを含み、
レイアウト変更処理は、表示処理において、少なくとも補助映像の表示位置を変更する
カラオケ装置。
【請求項２】
レイアウト変更処理は、補助映像の表示位置の変更に伴って、補助情報に基づく補助映像の大きさを変更する
請求項１に記載のカラオケ装置。
【請求項３】
レイアウト変更処理は、歌詞の表示位置の変更に伴って、補助映像の表示位置を変更する
請求項１または請求項２に記載のカラオケ装置。
【請求項４】
補助映像は、歌唱評価に関する映像であって、カラオケ情報に含まれる模範歌唱の音高と歌唱者による歌唱の音高とを表示するピアノロールである
請求項１から請求項３の何れか１項に記載のカラオケ装置。
【請求項５】
レイアウト変更処理は、歌詞情報に基づく歌詞の大きさの変更に伴って、補助映像の表示位置を変更する
請求項１から請求項４の何れか１項に記載のカラオケ装置。
【請求項６】
レイアウト変更処理は、接続されている表示部に応じて、補助映像の表示位置を変更する
請求項１から請求項５の何れか１項に記載のカラオケ装置。
【請求項７】
レイアウト変更処理は、歌詞情報に規定される表示位置に歌詞を表示する第１レイアウト、歌詞情報で規定された表示位置を変更して歌詞を表示する第２レイアウトに変更する
請求項１から請求項６の何れか１項に記載のカラオケ装置。
【請求項８】
レイアウト変更処理は、指定されたカラオケ情報が変換禁止楽曲である場合、第２レイアウトへの変更を実行しない
請求項７に記載のカラオケ装置。
【請求項９】
カラオケ情報に基づいて再生を行う情報処理装置で実行されるカラオケ用プログラムであって、
カラオケ情報は、伴奏情報と歌詞情報を含んで構成され、
演奏処理と、表示処理と、レイアウト変更処理と、を実行可能とし、
演奏処理は、指定されたカラオケ情報の伴奏情報を再生し、
表示処理は、指定されたカラオケ情報に対応する背景映像に、当該カラオケ情報に含まれる歌詞情報に基づく歌詞と、補助情報に基づく補助映像を重畳して表示部に表示出力し、
補助情報は、歌唱評価に関する情報、楽器演奏に関する情報の少なくとも何れか１つを含み、
レイアウト変更処理は、表示処理において、少なくとも補助映像の表示位置を変更可能とする
カラオケ用プログラム。
【発明の詳細な説明】
【技術分野】
【０００１】
本発明は、再生される伴奏音に併せて歌唱を楽しむカラオケ装置、並びに、カラオケ用プログラムに関する。
【背景技術】
【０００２】
従来、宴会や飲み会等、各種の人が集う場等では、伴奏音に合わせて歌唱を楽しむカラオケが行われている。カラオケを行うためのカラオケ装置では、伴奏音に同期して歌詞を表示装置に表示させる基本機能を有することが通常である。ユーザは、表示される歌詞を参照しつつ、歌唱を行うことで、歌詞を記憶していなくても適切な歌詞で歌唱を行うことが可能である。
【０００３】
特許文献１には、伴奏音に合わせて歌唱を楽しむカラオケシステムにおいて、歌詞の表示と共に、歌唱する旋律をバーの高低で示したピアノロール表示を行うことが開示されている。ユーザは、伴奏音の進行に同期して表示される歌詞を見ながら歌唱を行うとともに、自己の歌唱と模範旋律の一致、不一致を確認することが可能となっている。
【先行技術文献】
【特許文献】
【０００４】
【特許文献１】特開２０１６−１６１６６２号公報
【発明の概要】
【発明が解決しようとする課題】
【０００５】
現在のカラオケ装置は、通信を介してカラオケ情報を配信する形態が一般的である。通信型のカラオケ装置が普及してから年月が経過しているが、普及当初に作成されたカラオケ情報が、今も使用されている場合もある。通信型のカラオケ装置の普及当初は、使用される表示装置（モニタ）も、現在の大画面の表示装置ほどは大きくなく、カラオケ情報に含まれる歌詞情報、あるいは、カラオケの進行と共に表示されるピアノロール等の各種情報は、表示装置の大きさに見合ったレイアウトで表示していた。
【０００６】
現在、カラオケボックス等で使用される表示装置は、大型液晶表示装置等、５０インチ以上の大画面の表示装置が使用されることが一般的となっている。このような大画面の表示装置を使用することで、迫力のある背景映像を提供することが可能となっている。一方、前述したように、ピアノロール等の各種情報は、従来の表示装置を対象にして作成されているため、大画面に表示した場合には、違和感を生じることが考えられる。また、大画面では、ピアノロール等の各種表示は、大画面化に伴って相対的に拡大されるため、従来の画面よりも背景映像の視認性が悪く感じられることがあり、背景映像による演出効果が低下することがある。
【課題を解決するための手段】
【０００７】
そのため、本発明に係るカラオケ装置は、以下の構成を採用するものである。
カラオケ情報に基づいて再生を行うカラオケ装置であって、
カラオケ情報は、伴奏情報と歌詞情報を含んで構成され、
演奏処理と、表示処理と、レイアウト変更処理と、を実行可能とし、
演奏処理は、指定されたカラオケ情報の伴奏情報を再生し、
表示処理は、指定されたカラオケ情報に対応する背景映像に、当該カラオケ情報に含まれる歌詞情報に基づく歌詞と、補助情報に基づく補助映像を重畳して表示部に表示出力し、
補助情報は、歌唱評価に関する情報、楽器演奏に関する情報の少なくとも何れか１つを含み、
レイアウト変更処理は、表示処理において、少なくとも補助映像の表示位置を変更する。
【０００８】
さらに本発明に係るカラオケ装置において、
レイアウト変更処理は、補助映像の表示位置の変更に伴って、補助情報に基づく補助映像の大きさを変更する。
【０００９】
さらに本発明に係るカラオケ装置において、
レイアウト変更処理は、歌詞の表示位置の変更に伴って、補助映像の表示位置を変更する。
【００１０】
さらに本発明に係るカラオケ装置において、
補助映像は、歌唱評価に関する映像であって、カラオケ情報に含まれる模範歌唱の音高と歌唱者による歌唱の音高とを表示するピアノロールである。
【００１１】
さらに本発明に係るカラオケ装置において、
レイアウト変更処理は、歌詞情報に基づく歌詞の大きさの変更に伴って、補助映像の表示位置を変更する。
【００１２】
さらに本発明に係るカラオケ装置において、
レイアウト変更処理は、接続されている表示部に応じて、補助映像の表示位置を変更する。
【００１３】
さらに本発明に係るカラオケ装置において、
レイアウト変更処理は、歌詞情報に規定される表示位置に歌詞を表示する第１レイアウト、歌詞情報で規定された表示位置を変更して歌詞を表示する第２レイアウトに変更する。
【００１４】
さらに本発明に係るカラオケ装置において、
レイアウト変更処理は、指定されたカラオケ情報が変換禁止楽曲である場合、第２レイアウトへの変更を実行しない。
【００１５】
また本発明に係るカラオケ用プログラムは、
カラオケ情報に基づいて再生を行う情報処理装置で実行されるカラオケ用プログラムであって、
カラオケ情報は、伴奏情報と歌詞情報を含んで構成され、
演奏処理と、表示処理と、レイアウト変更処理と、を実行可能とし、
演奏処理は、指定されたカラオケ情報の伴奏情報を再生し、
表示処理は、指定されたカラオケ情報に対応する背景映像に、当該カラオケ情報に含まれる歌詞情報に基づく歌詞と、補助情報に基づく補助映像を重畳して表示部に表示出力し、
補助情報は、歌唱評価に関する情報、楽器演奏に関する情報の少なくとも何れか１つを含み、
レイアウト変更処理は、表示処理において、少なくとも補助映像の表示位置を変更可能とする。
【発明の効果】
【００１６】
本発明に係るカラオケ装置、カラオケ用プログラムによれば、従来の表示装置を対象に作成されたカラオケ情報であっても、大画面の表示装置等に適切な形態でピアノロール等の各種情報を表示することが可能となる。
【図面の簡単な説明】
【００１７】
【図１】本実施形態に係るカラオケシステムの構成を示す図
【図２】本実施形態に係るカラオケ情報、歌詞情報のデータ構成を示す図
【図３】本実施形態の楽曲再生処理を示すフロー図
【図４】本実施形態における変換前、変換後の歌詞情報の表示経過を示す図
【図５】本実施形態における変換前、変換後の補助映像表示の様子を示す図
【発明を実施するための形態】
【００１８】
図１は、本発明の実施形態に係るカラオケシステムの構成を示す図である。本実施形態におけるカラオケシステム３は、カラオケ装置２（「コマンダ」とも呼ばれる）と、リモコン装置１を含んで構成されている。カラオケ装置２とリモコン装置１は、ＬＡＮ１００及びアクセスポイント１１０を利用してネットワークを形成するように接続されている。
【００１９】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置２側の記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２０】
また、カラオケ装置２は、表示部としてのモニタ４１に対して歌詞、背景映像等の映像を表示させる映像再生手段を備える。この映像再生手段は、背景映像情報に基づいて背景映像を再生する映像再生部２９、再生する背景映像を一時的に蓄積するビデオＲＡＭ２８、再生された背景映像に歌詞を重畳表示する映像制御部３１を備えている。なお、映像制御部３１では、背景映像に対して映像効果を付与する機能を有してもよい。
【００２１】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００２２】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２３】
さらに、カラオケ装置２は、各構成を統括して制御するための制御手段として、ＣＰＵ等で構成された制御部３０、各種プログラムを実行するにあたって必要となる情報を一時記憶するためのメモリ２７を備えている。
【００２４】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された楽曲を識別する楽曲ＩＤを含む予約情報をメモリ２７に記憶する予約テーブルに登録する。楽曲再生処理は、予約テーブルに登録された予約情報に基づき楽曲を再生させる処理であって、演奏処理と歌詞再生処理とが同期して実行される処理である。
【００２５】
演奏処理は、カラオケ情報に含まれる伴奏情報を音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、カラオケ情報に含まれる歌詞情報に基づいて、歌詞をモニタ４１に表示させることで歌唱補助を行う処理である。この歌詞再生処理で表示される歌詞に、背景映像を重畳させて表示させる背景映像表示処理を実行することとしてもよい。
【００２６】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２７】
さらにリモコン装置１は、楽曲検索に必要とされるデータベース、各種プログラム、並びに、プログラム実行に伴って発生する各種情報を記憶するメモリ１４、そして、これら構成を統括して制御するためのリモコン側制御手段を備えて構成される。リモコン側制御手段には、ＣＰＵ等で構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００２８】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指令は、対応付けされたカラオケ装置２にて受信されることとなる。なお、カラオケ装置２の操作は、ユーザ（顧客）が所持するスマートフォン等の携帯端末を使用して行うことも可能である。その場合、ユーザが来店した際、ユーザが所持する携帯端末とカラオケ装置２とが対応付けられる。
【００２９】
図２（Ａ）は、カラオケ装置２で再生されるカラオケ情報のデータ構成を示す図である。カラオケ情報は、選曲等を行うために付与されたメタ情報と、伴奏、歌詞表示を行うための実情報を含んで構成されている。メタ情報には、楽曲を管理するための楽曲ＩＤ、楽曲名、歌手名、作詞者名、作曲者名、区間識別情報等を含んで構成されている。
【００３０】
実情報は、伴奏情報、歌詞情報、背景映像情報を含んで構成されている。楽曲を再生する際、伴奏情報を音響制御部２５に演奏させることで、歌唱伴奏としての伴奏音をスピーカ４２から音響出力することが可能である。また、楽曲を再生する際、歌詞情報を映像再生部２９で再生し、モニタ４１に映像出力することで、ユーザの歌唱補助を行うことが可能である。その際、カラオケ情報に含まれる背景映像情報を、背景映像として再生することで、楽曲の雰囲気に合った映像を表示することが可能である。なお、背景映像情報は、カラオケ情報に含めるものではなく、例えば、楽曲のジャンル毎に用意しておき、カラオケ情報のジャンルに応じて使用することとしてもよい。
【００３１】
図２（Ｂ）は、カラオケ情報に含まれる歌詞情報のデータ構成を示す図である。本実施形態の歌詞情報は、複数の行情報によって構成されている。行情報は、画面に表示させる歌詞１行に関する情報であって、付随情報と文字情報によって構成されている。図２（Ｂ）には、行情報４について、その詳細が示されている。文字情報は、歌詞として表示させる文字を規定する情報であって、文字コード（ＪＩＳコード等）で規定された情報である。付随情報は、演奏進行における文字情報に関する情報であって、本実施形態では、文字情報がモニタ４１に表示される位置を規定した表示位置（表示行）、文字情報の表示が開始されるタイミングを規定した表示開始タイミング、文字情報の表示が消去されるタイミングを規定した表示終了タイミング、文字情報の色変えのタイミングを規定した色変え開始タイミング、文字情報の色変えの速度を規定した色変え速度を含んで構成されている。
【００３２】
図２（Ｂ）に示されている行情報４の例では、文字情報４で規定される歌詞「うううううううう」を、付随情報に含まれる文字情報が表示される表示行を規定する表示位置（Ｘ１，Ｙ１（Ｙ１は１行目に相当））に、表示開始タイミングｔ１のタイミングでモニタ４１の画面に表示させる。その後、色変え開始タイミングＤｔのタイミングにおいて、色変え速度ｖ１で色変えを開始する。そして、表示終了タイミングｔ２が到来することで、歌詞「うううううううう」の表示を終了（消去）する。
【００３３】
図３には、カラオケ装置２で実行される楽曲再生処理を示すフロー図が示されている。カラオケ装置２は、予約テーブルを参照（Ｓ１０１）し、次に再生すべき予約情報の有無を判定する（Ｓ１０２）。予約情報がある場合（Ｓ１０２：Ｙｅｓ）、次に再生すべき予約情報の楽曲が変換対象楽曲であるか否かが判定される（Ｓ１０３）。変換対象楽曲の判定は、例えば、再生対象となる予約情報に含まれる楽曲ＩＤを、変換禁止楽曲の楽曲ＩＤを規定したテーブルと参照することで行われる。再生対象となる楽曲ＩＤがテーブルに掲載されている場合、変換対象楽曲で無いと判定（Ｓ１０３：Ｎｏ）され、再生対象となる楽曲ＩＤがテーブルに掲載されていない場合、変換対象楽曲と判定（Ｓ１０３：Ｙｅｓ）される。
【００３４】
ここで、変換禁止楽曲を規定するテーブルに掲載される楽曲としては、例えば、以下に示す楽曲が挙げられる。
・背景映像情報に歌詞が含まれている楽曲
・歌詞の２行表示が禁止されている楽曲
・歌詞の表示サイズの変更が禁止されている楽曲
・歌詞が５行以上同時に表示されている楽曲
・同時色変わりイベントが使用されている楽曲
本実施形態では、このような楽曲を変換対象楽曲として扱わず、後の歌詞情報変換処理（Ｓ１０４）は実行しないこととしている。なお、変換対象楽曲で無い、つまり変換禁止楽曲である場合、後で説明する第２レイアウトの切り替えは行われず、変換前の歌詞情報の付随情報の表示位置を使用する第１レイアウトでのみ表示されることになる。
【００３５】
一方、変換対象楽曲については、その歌詞情報に対して歌詞情報変換処理（Ｓ１０４）が実行される。本実施形態の歌詞情報変換処理（Ｓ１０４）は、４乃至３行で規定された元の歌詞情報を２行に、または、２行で規定された元の歌詞情報を１行に変換する処理である。その際、歌詞の文字サイズを小さくすることで、大画面のモニタ４１においても、背景映像が歌詞で阻害されず、その視認性の向上を図ることが可能となっている。
【００３６】
次に、この歌詞情報変換処理（Ｓ１０４）について説明する。図４（Ａ）は、変換前の歌詞情報について、歌詞情報の表示経過を示す例であり、図４（Ｂ）は、変換後の歌詞情報について、新たな行情報に基づく歌詞情報の表示経過を示す例である。図４（Ａ）は、変換前の歌詞情報に基づいて表示される歌詞の表示経過である。本実施形態では、付随情報に含まれる表示位置（表示行）において、Ｙ座標として１行〜４行の何れかの行を割り当てることが可能となっている。行情報に含まれる文字情報１〜７は、各文字情報に関連付けられた各付随情報の表示位置に基づく座標に、表示開始タイミング、表示終了タイミングにしたがって表示される。
【００３７】
例えば、図２（Ｂ）で説明した行情報４については、表示位置（Ｘ１、Ｙ１（１行目））、表示開始タイミングｔ１、表示終了タイミングｔ２が付随情報によって規定されているため、ｔ１〜ｔ２の期間、１行目（行番号１）に表示される。図５（Ａ）は、変換前の歌詞情報を使用して、第１レイアウトで表示されるモニタ４１の画面を示す図であって、図４（Ａ）に示すｔ１時の様子が示されている。ｔ１時には、１行目（行番号１）に文字情報４「うううううううう」が表示され、２行目（行番号２）に文字情報５「ええええええええ」が表示され、３行目（行番号３）に文字情報２「ああああああああ」が表示され、４行目（行番号４）に文字情報３「いいいいいいいい」が表示されている。文字情報３「いいいいいいいい」には、色変え位置Ｃが示されており、歌唱タイミングを示している。
【００３８】
図５（Ｂ）は、変換後の歌詞情報を使用して、第２レイアウトで表示されるモニタ４１の画面を示す図であり、図４（Ｂ）のｔ１時の様子、つまり図５（Ａ）と同じ時点の様子が示されている。変換後には、変換前の１行目の文字情報４と２行目の文字情報５が結合され、文字情報４＋５「ううううううううええええええええ」が、新たな１行目に表示される。また、変換前の３行目の文字情報２と４行目の文字情報３が結合され、文字情報２＋３「ああああああああいいいいいいいい」が、新たな２行目に表示される。つまり、変換（結合）後は、変換（結合）した文字情報に関連する付随情報に規定される表示位置（表示行）、表示開始タイミング及び表示終了タイミングが変更され、メモリ２７に一時保存され、一時保存された情報に基づいて、文字情報が表示される。その際、文字情報が結合されることによって文字情報の横幅が長くなって表示されないことあるため、変換後の歌詞情報は、変換前の歌詞情報よりも文字サイズを小さく表示する。これらによって、背景映像情報が歌詞情報によって阻害されることを抑制している。
【００３９】
ここで楽曲再生処理を実行するプログラムについて説明する。楽曲再生処理は、演奏情報等を再生して伴奏音を出力する演奏処理を実行する演奏プログラム、歌詞情報に基づく歌詞を表示する歌詞再生処理を実行する歌詞表示プログラム、採点処理が指定された場合に起動し、歌唱者の歌唱を評価する採点処理を実行する採点プログラムが同期して実行される。ここで、歌詞表示プログラム、採点プログラムは、モニタ４１に歌詞、補助映像を表示するプログラムであるため、表示処理を実行する表示プログラムということもできる。なお、採点処理は、歌唱評価結果としての点数を表示することになるが、点数を表示しない形態で歌唱評価を行うことも考えられる。例えば、ピアノロール４１ａだけを表示し、点数は表示しない場合がこれに相当する。したがって、採点処理は、その上位概念としての歌唱評価処理とし、歌唱評価処理を実行する歌唱評価プログラムを使用する形態としてもよい。
【００４０】
歌詞情報変換処理（Ｓ１０４）が実装される前のカラオケ装置２では、歌詞表示プログラムと採点プログラムは、モニタ４１への出力制御について同期する必要は無かった。歌詞表示プログラムは、歌詞情報の付随情報に規定されている表示位置に歌詞を表示し、採点プログラムは、それ自身に規定されている表示位置に補助映像を表示していた。一方、カラオケ装置２のバージョンアップ、あるいは、カラオケ装置２の新型化等により、歌詞情報変換処理（Ｓ１０４）が実装された後のカラオケ装置２では、歌詞の表示位置、大きさの少なくとも一方が変更され表示されることになる。
【００４１】
したがって、歌詞情報変換処理（Ｓ１０４）で変換後の歌詞情報を使用する場合には、歌詞表示プログラムは、変換後の歌詞情報を使用して歌詞を表示することを採点プログラムに対して出力する。この出力を受けた場合、採点プログラムは、当初、規定されていた表示位置（第１レイアウト）とは異なる表示位置（第２レイアウト）に、歌唱評価に基づく補助映像を表示する。一方、歌詞表示プログラムは、変換前の歌詞情報を使用して歌詞を使用する場合には、歌詞表示プログラムは採点プログラムに何ら情報を出力せず、採点プログラムは、当初、規定されていた表示位置（第１レイアウト）に補助映像を表示する。このように本実施形態のカラオケ装置２では、歌詞表示プログラムと採点プログラム（補助映像表示プログラム）が同期することで、変換後の歌詞表示に適した形態で補助映像を表示することが可能となっている。
【００４２】
図５（Ａ）、図５（Ｂ）に示す本実施形態は、どちらも採点処理が実行される場合（Ｓ１０６：Ｙｅｓ）であって、ピアノロール４１ａ、技巧映像４１ｂ〜４１ｄ等、歌唱評価に関する補助情報に基づく補助映像を表示している。なお、図５（Ａ）の表示レイアウトとするか、図５（Ｂ）の表示レイアウトとするかは、楽曲生成処理内で実行されるレイアウト変更処理によって変更される。ここで、ピアノロール４１ａは、模範歌唱の音高、及び、ユーザの歌唱音高を比較するための表示であって、それぞれ、音高を縦方向の位置に、時間経過を横方向の位置にとったバー形状で表示される。また、技巧映像４１ｂ〜４１ｄは、ユーザの歌唱における技巧情報に基づく映像であって、技巧発生回数を示したものである。本実施形態では、３種類（こぶし、しゃくり、ビブラート）を技巧情報としている。
【００４３】
図５（Ａ）の第１レイアウトでは、モニタ４１の上方位置にピアノロール４１ａを表示し、ピアノロール４１ａの直上に技巧映像４１ｂ〜４１ｄを表示している。現在、多くのカラオケ楽曲では、オリジナルのアーティストを使用した背景映像が使用される。図５（Ａ）、図５（Ｂ）もそのような場合であって、オリジナルのアーティストが歌唱している映像を表示している例である。図５（Ａ）の第１レイアウトでは、ピアノロール４１ａ部分が、アーティストの顔部分にかかることとなり、背景映像の主要部分が遮られてしまう。一方、図５（Ｂ）の第２レイアウトでは、ピアノロール４１ａを画面下方に位置させることで、アーティストの顔部分が遮られること無く表示された形態となっている。
【００４４】
また、第２レイアウトでは、ピアノロール４１ａの直上に縮小した歌詞を表示させ、ピアノロール４１ａの直下に技巧映像４１ｂ〜４１ｄを表示している。このように、ピアノロール４１ａは、その直上が平らな形状で形成されているため、直上部分に歌詞を表示させることで、ピアノロール４１ａで歌詞が遮られることなく表示させることが可能となっている。また、ピアノロール４１ａと歌詞を密着させて表示させることで、ユーザは視線を大きく移動させること無く、ピアノロール４１ａと歌詞を確認することが可能となっている。
【００４５】
このように、本実施形態では、図５（Ａ）に示される第１レイアウト、図５（Ｂ）に示される第２レイアウトに変更可能とすることで、歌唱時における各種情報の視認性向上を図ることが可能となっている。特に、図５（Ｂ）に示される第２レイアウトでは、画面上方に表示されるアーティストの顔部分といった、背景映像の主要部が、ピアノロール４１ａや技巧映像４１ｂ〜４１ｄといった補助映像で隠されること無く、表示することが可能となっている。また、この第２レイアウトでは、歌詞情報変換処理（Ｓ１０４）で変換された歌詞情報を使用して、オリジナルである第１レイアウトよりも縮小された歌詞が表示されており、ピアノロール４１ａや技巧映像４１ｂ等の補助映像は、縮小された歌詞に適したレイアウトとなっている。
【００４６】
このように、本実施形態では、歌詞の表示位置及び大きさの変更に伴って、補助映像の表示位置を変更することとしているが、歌詞の表示位置、歌詞の大きさの少なくとも一方の変更に伴って、補助映像の表示位置を変更することとしてもよい。
【００４７】
本実施形態では、図５（Ａ）の第１レイアウトと、図５（Ｂ）の第２レイアウトでは、ピアノロール４１ａ、技巧映像４１ｂ〜４１ｄの大きさは変更しない形態としているが、第１レイアウトと第２レイアウト間では、ピアノロール４１ａ、技巧映像４１ｂ〜４１ｄの少なくとも一方の大きさを変更することとしてもよい。例えば、図５（Ｂ）の第２レイアウトでは、図５（Ａ）の第１レイアウトよりも、ピアノロール４１ａ、技巧映像４１ｂ〜４１ｄを小さく表示することが考えられる。したがって、歌詞の表示位置、歌詞の大きさの少なくとも一方の変更に伴って、補助映像の大きさを変更する形態とすることも可能である。
【００４８】
図３の楽曲再生処理に戻り、歌詞情報変換処理（Ｓ１０４）が完了すると、カラオケ情報に含まれる伴奏情報の再生が開始される（Ｓ１０５）。本実施形態では、採点処理を行う場合（Ｓ１０６：Ｙｅｓ）であって、歌詞の表示形態が歌詞を縮小表示する第２レイアウトに指定されている場合（Ｓ１０６：第２レイアウト）、図５（Ｂ）に示す、変換後の歌詞情報を使用した第２レイアウトで表示を行うこととしている（Ｓ１０８）。一方、それ以外の場合、すなわち、採点処理が指定されていない場合（Ｓ１０６：Ｎｏ）、あるいは、採点処理が指定されていても、第１レイアウトが指定されている場合（Ｓ１０７：第１レイアウト）、図５（Ａ）に示す変換前の歌詞情報を使用した第１レイアウトで表示させることとしている（Ｓ１１０）。なお、採点処理時には、ピアノロール４１ａ、技巧映像４１ｂ〜４１ｄがモニタ４１に表示され、採点処理を行わない場合には、モニタ４１には、ピアノロール４１ａ、技巧映像４１ｂ〜４１ｄは表示されない。
【００４９】
このように、本実施形態では、歌詞の大きさの指定状況、及び、採点処理によるピアノロール４１ａ、技巧映像４１ｂ〜４１ｄの表示状況によって、変換前の歌詞情報を使用した４行乃至３行表示、あるいは、変換後の歌詞情報を使用した２行表示に表示形態を切り替えることとしている。その際、歌詞の表示形態に合わせて、ピアノロール４１ａ、技巧映像４１ｂ〜４１ｄのレイアウトを異ならせている。なお、このような実施形態に限られるものでは無く、変換後の歌詞情報を使用した歌詞の表示形態は、カラオケ装置２における適宜設定状況下で使用することとしてもよい。
【００５０】
本実施形態の楽曲再生処理では、楽曲の再生途中、採点処理の指定（Ｓ１０５）、歌詞の表示形態（Ｓ１０６）の判断が繰り返し実行され、状況に応じた歌詞の表示形態に変更することが可能となっている。なお、採点処理の指定、歌詞の表示形態については、少なくとも一方について、楽曲再生中は変更を禁止することとしてもよい。楽曲の再生が完了した場合（Ｓ１０９：Ｙｅｓ）、楽曲再生処理の先頭に戻り、次の楽曲について、予約テーブルチェック（Ｓ１０１）が実行される。
【００５１】
以上、本実施形態の楽曲再生処理について説明を行ったが、本実施形態では、楽曲情報に含まれるオリジナルの歌詞情報を使用して表示される第１レイアウト、歌詞情報変換処理で変換した歌詞情報で表示され第２レイアウトに変更可能としている。その際、第１レイアウトと第２レイアウトにおいて、歌唱評価に関する補助情報に基づく補助映像（ピアノロール４１ａや技巧映像４１ｂ等）の表示位置を変更可能とすることで、現在のカラオケ装置２の環境、特に、モニタ４１が大型化する環境に適合させた表示形態で表示させることが可能となっている。
【００５２】
なお、本実施形態では、補助映像として、ピアノロール４１ａや技巧映像４１ｂを用いて説明したが、カラオケ装置で使用される補助映像には、このような形態のみならず、楽器演奏に関する補助情報に基づく、補助映像であってもよい。現在、カラオケ装置では、ギターの演奏を補助するため、歌詞の表示に加え、ギターコードを表示する機能を備えたものがある。このようなカラオケ装置においても、モニタの大型化に伴い、歌詞の縮小表示やギターコード映像等の補助映像の最適化を行うことが好ましい。したがって、補助映像として楽器演奏に関する情報に基づく映像についても、本実施形態のピアノロール４１ａや技巧映像４１ｂと同様に、レイアウトを変更可能とすることで、モニタが大型化する環境に適した表示形態とすることが可能となる。
【００５３】
また、本実施形態では、歌詞情報変換処理（Ｓ１０４）は、カラオケ装置２において、カラオケ情報の楽曲ＩＤが指定（予約）され、再生開始前に実行されることとしているが、歌詞情報変換処理（Ｓ１０４）を行う主体、あるいは、その実行タイミングは適宜に行うことが可能である。例えば、主体としては、カラオケ装置２が実行することに代え、サーバ装置５で実行し、変換された歌詞情報、あるいは、変換された歌詞情報を含むカラオケ情報をカラオケ装置２に配信することとしてもよい。あるいは、歌詞情報変換処理（Ｓ１０４）は、カラオケ装置２において、楽曲がユーザにより指定（予約）された直後に開始されることとしてもよい。
【００５４】
また、本実施形態では、歌詞情報変換処理（Ｓ１０４）で変換された歌詞情報は、再利用しないこととしているが、変換された歌詞情報をカラオケ装置２内に保存しておき、再度、選曲された時に再利用することとしてもよい。その場合、新たに歌詞情報変換処理（Ｓ１０４）は実行されない。あるいは、変換された歌詞情報は、サーバ装置５に送信してもよい。サーバ装置５で変換された歌詞情報を収集し、他のカラオケ装置２に配信することも可能となる。
【００５５】
また、本実施形態では、採点処理の指定、及び、表示形態の指定を条件として、第１レイアウト、第２レイアウトの切り替えを行うこととしているが、第１レイアウト、第２レイアウトの切り替えは、採点処理の指定、あるいは、表示形態の指定を条件のどちらか一方で行うこととしてもよい。
【００５６】
また、現在、表示部としてのモニタ（表示部）を接続する際に使用されるＨＤＭＩ（登録商標）規格では、接続されるモニタの機種情報等、モニタに関する情報を取得することが可能である。例えば、図１のシステム構成において、カラオケ装置２は、モニタ４１の機種情報等、モニタ４１に関する情報をモニタ４１から取得することが可能である。このような場合、カラオケ装置２で実行される第１レイアウト、第２レイアウトの切り替えは、接続されているモニタ４１から取得したモニタ４１に関する情報に基づいて行われることとしてもよい。例えば、モニタ４１に関する情報を参照して、モニタ４１の画面の大きさを判定し、画面の大きさが所定値以下である場合には、第１レイアウトで表示し、所定値より大きい場合には、第２レイアウトで表示する等、接続されるモニタ４１に応じた制御を行うこととしてもよい。
【００５７】
以上、本実施形態ではカラオケ装置２を例に取って説明を行ったが、本発明はカラオケ装置２に限らず、サーバ装置５、あるいは、各種情報処理装置で実行可能なカラオケ用プログラムについても本発明の範疇に属する。また、カラオケ装置２は、カラオケ専用の装置のみならず、ＰＣやゲーム機、スマートフォン等の各種情報装置であってもよい。その際、これらの情報装置で実行可能なカラオケ用プログラムについても本発明の範疇に属する。
【符号の説明】
【００５８】
１：リモコン装置                    ２５：音響制御部
２：カラオケ装置                    ２７：メモリ
３：カラオケシステム                ２８：ビデオＲＡＭ
５：サーバ装置                      ２９：映像再生部
１１：タッチパネルモニタ            ３０：制御部
１１ａ：表示部                      ３１：映像制御部
１１ｂ：タッチパネル                ３２：ＨＤＤ
１２：ビデオＲＡＭ                  ３３：タッチパネルモニタ
１３：映像制御部                    ３３ａ：表示部
１４：メモリ                        ３３ｂ：タッチパネル
１５：制御部                        ４１：モニタ
１６：無線ＬＡＮ通信部              ４１ａ：ピアノロール
１７：操作部                        ４１ｂ〜４１ｄ：技巧映像
１８：操作処理部                    ４２：スピーカ
２１：操作部                        ４４ａ、４４ｂ：歌唱用マイク
２２：操作処理部                    １１０：アクセスポイント
２４：ＬＡＮ通信部
【図１】
2020181116.tif 000003
【図２】
2020181116.tif 000004
【図３】
2020181116.tif 000005
【図４】
2020181116.tif 000006
【図５】
2020181116.tif 000007